(57)【要約】【課題】排水ホースをドレンソケットに接続する時、接続部に隙間が生じて最悪の場合、ドレンポンプで吸い上げられたドレン水がドレン接続口より漏れて下部に滴下し、ドレンパンと側板の隙間から空気調和機の室内機本体外部に漏れたり、排水ホースが熱交換器に接触して傷付き、亀裂等が発生する可能性がある。【解決手段】ドレンソケット８の接続部分の形状を変えることで最悪ドレン水３が漏れた場合でも室内機の本体１外部への水漏れを防ぐことができ、また排水ホース７の曲げ位置を限定させることでドレンソケット８より下側で排水ホース７を接続させることで、ドレンポンプ６の性能を低下させることなく、さらに熱交換器２側に排水ホース７を接触させないことで、排水ホース７の傷付き、亀裂などを防止することができる。【選択図】図１
2006200857.tif 000002
【特許請求の範囲】
【請求項１】
被空調室の天井に取付け固定される室内機本体とこの室内機本体内部に収容される熱交換器と前記熱交換器の熱交換作用伴って熱交換器で生成され流下するドレン水を受けて集留するドレンパンと前記ドレンパンに集留されたドレン水が所定の水位を越えたときに駆動されドレン水を吸上げて外部へ排出させるためのドレンポンプと、上記室内機本体に取付けられ、その一側面部取付けられた、前記ドレンポンプと連通する排水ホースを接続する接続口を有したドレンソケットを具備し、前記ドレンソケットにおいて排水ホースと接続するドレン接続口の外側全周を覆うように形成し、ドレンソケットと一体化させた円筒壁を設け、前記ドレンパン周囲の壁面よりドレンパンの集溜部側に突出するように形成させたことを特徴とする空気調和機の室内機。
【請求項２】
ドレンソケットにおいて排水ホースと接続するドレン接続口の外側全周を覆うように形成し、ドレンソケットと一体化させた円筒壁を設け、さらに前記円筒壁の室内機本体において上部側壁面が、下部側壁面より長く、ドレンパンの周囲の壁面よりドレンパンの集溜部側に突出室内機本体において上部側壁面が、下部側壁面より長く、ドレンパンの周囲の壁面よりドレンパンの集溜部側に突出が、室内機本体下部側より長く前記ドレンパンの周囲の壁面よりドレンパンの集溜部側に突出するように形成されたことを特徴とする、請求項１に記載の空気調和機の室内機。
【請求項３】
ドレンソケットにおいて排水ホースと接続するドレン接続口の外側全周を覆うように形成し、ドレンソケットと一体化させた円筒壁を設け、前記円筒壁の室内機本体において上部側壁面が、室内機本体下部側壁面より長く、ドレンパンの周囲の壁面よりドレンパンの集溜部側に突出し、さらに上部側壁面が下向に円弧形状を形成し、排水ホースをドレンパンの集溜部側に導くように突出させたことを特徴とする、請求項１に記載の空気調和機の室内機。
【請求項４】
ドレンソケットにおいて排水ホースと接続するドレン接続口の外側全周を覆うように形成し、ドレンソケットと一体化させた円筒壁を設け、さらに前記円筒形の内壁面に、排水ホースの蛇腹形状の溝に合うよう複数個の突起を設けさらに前記円筒壁は、ドレンパンの周囲の壁面よりドレンパンの集溜部側に突出するように形成されたことを特徴とする請求項１に記載の空気調和機の室内機。
【発明の詳細な説明】
【技術分野】
【０００１】
本発明は空気調和機の室内機に関するものである。
【背景技術】
【０００２】
従来の天井埋め込み形室内機等においては、熱交換作用にともなって熱交換器にドレン水が生成されるため、熱交換器の下部に発泡スチロール等で形成されたドレンパンを備え、前記ドレンパンに集留されたドレン水を外部に排出させるためドレンポンプを設けることが一般的である（例えば、特許文献１参照）。
【０００３】
図９は、特許文献１に記載された従来の空気調和機室内機の側面図を示すものである。
【０００４】
また図１０は、従来の空気調和機室内機ドレンポンプ部の詳細断面図を示すものである。
【０００５】
また図１１は、従来のドレンソケットの詳細斜視図を示すものである。
【０００６】
図９、１０に示すように、空気調和機の室内機１の内部に配置された熱交換器２の熱交換作用にともない、熱交換器２にドレン水３が生成され、そのドレン水３を集留させるため、熱交換器２の下部にドレンパン４を備えている。
【０００７】
前記ドレンパン４に集留されたドレン水３は、ドレンパン４に溜まったドレン水３の水位をフロートスイッチ５が検知し、フロートスイッチ５からの信号を検知して、ドレンポンプ６を動作させる。次にドレンポンプ６で吸上げられたドレン水３は、排水ホース７からドレンソケット８を通り、さらにドレンソケット８に接続された、外部ドレン配管９を通り屋外へ放出される。
【０００８】
前記ドレンソケット８は、空気調和機の室内機本体１の側板１０にネジ１１で固定されさらに前記排水ホース７をドレンソケット８のドレン接続口１２に挿入させ、それらの接続部を固定バンド１３で固定している。
【特許文献１】特開平７−１４５９８６号公報
【発明の開示】
【発明が解決しようとする課題】
【０００９】
しかしながら、前記の構成では、熱交換器で生成され、ドレンパンに溜まったドレン水をドレンポンプで上部へ吸上げ、屋外へ排出させるとき、ドレンポンプとドレンソケットの間を排水ホースで接続した場合、前記排水ホースをドレンソケットに接続させ固定バンドを利用して固着させることでドレンポンプの駆動にともなって振動が発生し、その振動が排水ホースに伝わりドレンソケットとの接続部が緩み、ドレンポンプとの接続部に隙間が生じて最悪の場合、ドレン水が接続部より漏れて下部に滴下し、ドレンパンと側板の隙間から空気調和機の室内機本体外部に漏れる可能性があった。
【００１０】
また前記排水ホースが、組立バラツキにより、ドレンソケットより上の位置で折れ曲り、ドレンソケットに接続されたり、排水ホースが熱交換器側に膨れ、熱交換器のフィンに接触することにより、排水ホースの途中部分が傷付き亀裂し排水性能が悪化したり、水漏れが発生するという課題を有していた。
【００１１】
本発明は、前記従来の課題を解決するものでドレンソケットの接続部分の形状を変えることで最悪ドレン水が漏れた場合でも室内機外部への水漏れを防ぐことができ、また排水ホースの曲げ位置を限定させることでドレンソケットより下側で排水ホースを接続させることで、ドレンポンプの性能を低下させることなく、さらに熱交換器側に排水ホースを接触させないことで、排水ホースの傷付き、亀裂などを防止することを目的とする。
【課題を解決するための手段】
【００１２】
前記従来の課題を解決するために、本発明の空気調和機の室内機は、ドレンポンプに接続された排水ホースとさらに接続されるドレンソケットの接続部分の形態を変化させたものである。
【００１３】
これによって、最悪ドレン水が漏れた場合でも室内機外部への水漏れを防ぐことができ、また排水ホースの曲げ位置を限定させることでドレンソケットより下側で排水ホースを接続させることで、ドレンポンプの性能を低下させることなく、さらに熱交換器側に排水ホースを接触させないことで、排水ホースの傷付き、亀裂などを防止することができる空気調和機の室内機を提供することを目的とする。
【発明の効果】
【００１４】
本発明の空気調和機の室内機は、ドレンポンプに接続された排水ホースとさらに接続されるドレンソケットの接続部分の形態を変化させることにより、最悪ドレン水が漏れた場合でも室内機外部への水漏れを防ぐことができ、また排水ホースの曲げ位置を限定させることでドレンソケットより下側で排水ホースを接続させることで、ドレンポンプの性能を低下させることなく、さらに熱交換器側に排水ホースを接触させないことで、排水ホースの傷付き、亀裂などを防止することができる。
【発明を実施するための最良の形態】
【００１５】
第１の発明は天井に取付け固定される室内機本体とこの室内機本体内部に収容される熱交換器と前記熱交換器の熱交換作用伴って熱交換器で生成され流下するドレン水を受けて集留するドレンパンと前記ドレンパンに集留されたドレン水が所定の水位を越えたときに駆動されドレン水を吸上げて外部へ排出させるためのドレンポンプと、上記室内機本体に取付けられ、その一側面部取付けられた、前記ドレンポンプと連通する排水ホースを接続する接続口を有したドレンソケットを具備し、前記ドレンソケットにおいて排水ホースと接続するドレン接続口の外側全周を覆うように形成し、ドレンソケットと一体化させた円筒壁を設け、前記ドレンパン周囲の壁面よりドレンパンの集溜部側に突出するように形成させることにより、ドレンソケットと排水ホースの接続部より、最悪ドレン水が漏れた場合でも室内機外部への水漏れを防ぐことができる。
【００１６】
第２の発明は、特に、第１の発明の空気調和機用室内機において、前記ドレンソケットにおいて排水ホースと接続するドレン接続口の外側全周を覆うように形成し、ドレンソケットと一体化させた円筒壁を設け、さらに前記円筒壁の室内機本体において上部側壁面が、下部側壁面より長く、ドレンパンの周囲の壁面よりドレンパンの集溜部側に突出室内機本体において上部側壁面が、下部側壁面より長く、ドレンパンの周囲の壁面よりドレンパンの集溜部側に突出が、室内機本体下部側より長く前記ドレンパンの周囲の壁面よりドレンパンの集溜部側に突出するように形成されることにより、最悪ドレン水が漏れた場合でも室内機外部への水漏れを防ぐことができ、また排水ホースの曲げを浮き上がることのない位置で決めることでドレンソケットより下側で排水ホースを接続させることができ、ドレンポンプの性能を低下防止できる。
【００１７】
第３の発明は、特に、第１の発明の空気調和機用室内機において、前記ドレンソケットにおいて排水ホースと接続するドレン接続口の外側全周を覆うように形成し、ドレンソケットと一体化させた円筒壁を設け、前記円筒壁の室内機本体において上部側壁面が、室内機本体下部側壁面より長く、ドレンパンの周囲の壁面よりドレンパンの集溜部側に突出し、さらに上部側壁面が下向に円弧形状を形成し、排水ホースをドレンパンの集溜部側に導くように突出させたことにより、最悪ドレン水が漏れた場合でも室内機外部への水漏れを防ぐことができ、また排水ホースの曲げ位置を限定させることでドレンソケットより下側で排水ホースを接続させることで、ドレンポンプの性能を低下させることなく、さらに熱交換器側に排水ホースを接触させないことで、排水ホースの傷付き、亀裂などを防止できる。
【００１８】
第４の発明は、特に、第１の発明の空気調和機用室内機において、前記ドレンソケットにおいて排水ホースと接続するドレン接続口の外側全周を覆うように形成し、ドレンソケットと一体化させた円筒壁を設け、さらに前記円筒壁の内壁面に、排水ホースの蛇腹形状の溝に合うよう複数個の突起を設けさらに前記円筒壁は、ドレンパンの周囲の壁面よりドレンパンの集溜部側に突出するように形成することで、最悪ドレン水が漏れた場合でも室内機外部への水漏れを防ぐことができ、また排水ホースの曲げ位置を限定させることでドレンソケットより下側で排水ホースを接続させることで、ドレンポンプの性能を低下させることなく、さらに熱交換器側に排水ホースを接触させないことで、排水ホースの傷付き、亀裂などを防止できる。
【００１９】
以下、本発明の実施の形態について図面を参照しながら説明する。なお、この実施の形態によって本発明が限定されるものではない。
【００２０】
（実施の形態１）
図１は、本発明の第１の実施の形態における空気調和機の室内機のドレンポンプ部分の断面図示すものである。
【００２１】
また、図２は第１の実施の形態におけるドレンソケットの斜視図を示すものである。
【００２２】
空気調和機の室内機１の内部に配置された熱交換器２の熱交換作用にともない、熱交換器２にドレン水３が生成され、そのドレン水３を集留させるため、熱交換器２の下部にドレンパン４を備えている。
【００２３】
前記ドレンパン４に集留されたドレン水３は、ドレンパン４に溜まったドレン水３の水位をフロートスイッチ５が検知し、フロートスイッチ５からの信号を検知して、ドレンポンプ６を動作させる。
【００２４】
次にドレンポンプ６で吸上げられたドレン水３は、排水ホース７からドレンソケット８を通り、さらにドレンソケット８に接続された、外部ドレン配管９を通り屋外へ放出される。
【００２５】
前記ドレンソケット８は、空気調和機の室内機本体１の側板１０にネジ１１で固定されさらに排水ホース７をドレンソケット８のドレン接続口１２に挿入させている。
【００２６】
ドレンソケット８のドレン接続口１２の全周を囲むように円筒壁１４が設けられ、さらに円筒壁１４は、前記ドレンパン４の側壁４ａよりも内側に位置するように構成されている。
【００２７】
以上のように構成された空気調和機の室内機について、以下その動作、作用を説明する。
【００２８】
ドレンソケット８において排水ホース７と接続するドレン接続口１２の外側全周を覆うように形成し、ドレンソケット８と一体化させた円筒壁１４を設け、前記ドレンパン４周囲の壁面４ａよりドレンパン４の集溜部側に突出するように形成させることにより、ドレンソケット８と排水ホース７の接続部より、最悪ドレン水が漏れた場合でも室内機１外部への水漏れを防ぐことができる。
【００２９】
（実施の形態２）
図３は、本発明の第２の実施の形態における空気調和機の室内機のドレンポンプ部分の断面図示すものである。
【００３０】
また、図４は第２の実施の形態におけるドレンソケットの斜視図を示すものである。
【００３１】
ドレンソケット８において排水ホース７と接続するドレン接続口１２の外側全周を覆うように形成し、ドレンソケット８と一体化させた円筒壁１４を設け、さらに前記円筒壁１４の室内機本体１において上部側壁面１４ａが、室内機本体１下部側壁面１４ｂより長く、ドレンパン４の周囲の壁面４ａよりドレンパンの集溜部側に突出するような構成になっている。
【００３２】
以上のように構成された空気調和機の室内機について、以下その動作、作用を説明する。
【００３３】
ドレンソケット８と一体化させた円筒壁１４の上部側壁面１４ａが、下部側壁面１４ｂより長く、ドレンパン４の周囲の壁面４ａよりドレンパンの集溜部側に突出させることで、最悪ドレン水３が漏れた場合でも室内機１外部への水漏れを防ぐことができ、また排水ホース７の曲げを浮き上がることのない位置で決めることでドレンソケット８より下側で排水ホース７を接続させることができ、ドレンポンプ６の性能を低下防止できる。
【００３４】
（実施の形態３）
図５は、本発明の第３の実施の形態における空気調和機の室内機のドレンポンプ部分の断面図示すものである。
【００３５】
また、図６は第３の実施の形態におけるドレンソケットの斜視図を示すものである。
【００３６】
図５〜図６において、空気調和機の室内機１において、ドレンソケット８において排水ホース７と接続するドレン接続口１２の外側全周を覆うように形成し、ドレンソケット８と一体化させた円筒壁１４を設け、前記円筒壁１４の室内機本体１において上部側壁面１４ａが、室内機本体１下部側壁面１４ｂより長く、ドレンパン４の周囲の壁面４ａよりドレンパン４の集溜部側に突出し、さらに上部側壁面１４ａが下向に円弧形状を形成し、排水ホースをドレンパン４の集溜部側に導くように突出させた構成になっている。
【００３７】
以上のように構成された空気調和機の室内機について、以下その動作、作用を説明する。
【００３８】
ドレンソケット８と一体化させた円筒壁１４の上部側壁面１４ａが、下部側壁面１４ｂより長く、ドレンパン４の周囲の壁面４ａよりドレンパン４の集溜部側に突出し、さらに上部側壁面１４ａが下向に円弧形状を形成し、排水ホース７をドレンパン４の集溜部側に導くように突出させたことにより、最悪ドレン水３が漏れた場合でも室内機１外部への水漏れを防ぐことができ、また排水ホース７の曲げ位置を限定させることでドレンソケット８より下側で排水ホース７を接続させることができ、ドレンポンプ６の性能を低下させることなく、さらに熱交換器２側に排水ホース７を接触させないことで、排水ホース７の傷付き、亀裂などを防止できる。
【００３９】
（実施の形態４）
図７は、本発明の第４の実施の形態における空気調和機の室内機のドレンポンプ部分の断面図を示すものである。
【００４０】
また、図８は第４の実施の形態におけるドレンソケットの斜視図を示すものである。
【００４１】
図７〜図８において、ドレンソケット８において排水ホース７と接続するドレン接続口１２の外側全周を覆うように形成し、ドレンソケット８と一体化させた円筒壁１４を設け、さらに前記円筒壁１４の内壁面に、排水ホース７の蛇腹形状の溝７ａに合うよう複数個の突起１４ｃを設けさらに前記円筒壁１４は、ドレンパン４の周囲の壁面４ａよりドレンパン４の集溜部側に突出させた構成になっている。
【００４２】
以上のように構成された空気調和機の室内機について、以下その動作、作用を説明する。
【００４３】
ドレンソケット８と一体化させた円筒壁１４の内壁面に、排水ホース７の蛇腹形状の溝７ａに合うよう複数個の突起１４ｃを設けさらに前記円筒壁１４は、ドレンパンの周囲の壁面４ａよりドレンパン４の集溜部側に突出するように形成することで、最悪ドレン水３が漏れた場合でも室内機１外部への水漏れを防ぐことができ、また排水ホース７の曲げ位置を限定させることでドレンソケット８より下側で排水ホース７を接続させることで、ドレンポンプ６の性能を低下させることなく、さらに熱交換器２側に排水ホース７を接触させないことで、排水ホース７の傷付き、亀裂などを防止できる。
【産業上の利用可能性】
【００４４】
以上のように、本発明の空気調和機の室内機は、ドレンポンプに接続された排水ホースとさらに接続されるドレンソケットの接続部分の形態を変化させることにより、最悪ドレン水が漏れた場合でも室内機外部への水漏れを防ぐことができ、また排水ホースの曲げ位置を限定させることでドレンソケットより下側で排水ホースを接続させることで、ドレンポンプの性能を低下させることなく、さらに熱交換器側に排水ホースを接触させないことで、排水ホースの傷付き、亀裂などを防止できることが可能となるので、ドレンポンプを有した空気調和機等に適用できる。
【図面の簡単な説明】
【００４５】
【図１】本発明の実施の形態１における空気調和機の室内機のドレンポンプ部分の断面図
【図２】本発明の実施の形態１におけるドレンソケットの斜視図
【図３】本発明の実施の形態２における空気調和機の室内機のドレンポンプ部分の断面図
【図４】本発明の実施の形態２におけるドレンソケットの斜視図
【図５】本発明の実施の形態３における空気調和機の室内機のドレンポンプ部分の断面図
【図６】本発明の実施の形態３におけるドレンソケットの斜視図
【図７】本発明の実施の形態４における空気調和機の室内機のドレンポンプ部分の断面図
【図８】本発明の実施の形態４におけるドレンソケットの斜視図
【図９】従来の空気調和機の室内機本体のドレンソケット接続部側側面図
【図１０】従来の空気調和機における空気調和機の室内機のドレンポンプ部分の断面図
【図１１】従来の空気調和機におけるドレンソケットの斜視図
【符号の説明】
【００４６】
１  空気調和機の室内機本体
２  熱交換器
３  ドレン水
４  ドレンパン
４ａ  ドレンパン側壁
５  フロートスイッチ
６  ドレンポンプ
７  排水ホース
７ａ  蛇腹形状の溝
８  ドレンソケット
９  外部ドレン配管
１０  側板
１１  ネジ
１２  ドレン接続口
１３  固定バンド
１４  円筒壁
１４ａ  上部側側壁
１４ｂ  下部側側壁
１４ｃ  突起
【図１】
2006200857.tif 000003
【図２】
2006200857.tif 000004
【図３】
2006200857.tif 000005
【図４】
2006200857.tif 000006
【図５】
2006200857.tif 000007
【図６】
2006200857.tif 000008
【図７】
2006200857.tif 000009
【図８】
2006200857.tif 000010
【図９】
2006200857.tif 000011
【図１０】
2006200857.tif 000012
【図１１】
2006200857.tif 000013